(57)【要約】  無線通信デバイス（１０）は、近距離通信（ＮＦＣ）インタフェース（３０）と、トランシーバ（３２，３４）と、制御部（２４）とを備える。ＮＦＣインタフェース（３０）は、外部のＮＦＣタグ（４４）とＮＦＣリンクを確立したことに応じて外部のＮＦＣタグ（４６）からマルチメディア・コンテンツに関連するデータを受信する。受信したデータに基づき、制御部（２４）は、無線通信ネットワークを介してマルチメディア・サーバ（６８，１１０）と通信リンクを確立し、マルチメディア・コンテンツに関連付けられた情報をユーザが指定したダウンロード先デバイスにダウンロードするように、マルチメディア・サーバ（６８，１１０）を制御する。
2010512060.tif 000002
【特許請求の範囲】
【請求項１】
無線通信デバイス（１０）であって、
外部のＮＦＣタグ（４６）と第１のＮＦＣリンクを確立したことに応じて、前記外部のＮＦＣタグ（４６）からマルチメディア・コンテンツに関連するデータを受信する近距離通信（ＮＦＣ）インタフェース（３０）と、
通信ネットワークを介してマルチメディア・サーバ（６８，１１０）と通信を行なうトランシーバ（３２，３４）と、
受信した前記データに基づき、前記マルチメディア・サーバ（６８，１１０）と通信リンクを確立し、前記マルチメディア・コンテンツに関連付けられた情報をダウンロードするように前記マルチメディア・サーバ（６８，１１０）を制御する制御部（２４）と
を備えることを特徴とする無線通信デバイス。
【請求項２】
ディスプレイ（１６）をさらに備え、
前記制御部（２４）は、受信した前記データを解析し、解析した前記データをユーザに表示することを特徴とする請求項１に記載の無線通信デバイス。
【請求項３】
解析した前記データは、前記マルチメディア・サーバ（６８，１１０）のユニフォーム・リソース・ロケータ（ＵＲＬ）を含み、
前記制御部（２４）は、前記ＵＲＬに基づいて前記マルチメディア・サーバ（６８，１１０）と通信リンクを確立することを特徴とする請求項２に記載の無線通信デバイス。
【請求項４】
解析した前記データは、マルチメディア・コンテンツのサンプルを含み、
前記制御部（２４）は、前記ユーザに前記サンプルを再生することを特徴とする請求項２に記載の無線通信デバイス。
【請求項５】
前記制御部（２４）は、前記マルチメディア・コンテンツに関連付けられた前記情報をユーザが指定したダウンロード先デバイスへダウンロードするように前記マルチメディア・サーバ（６８，１１０）を制御することを特徴とする請求項１に記載の無線通信デバイス。
【請求項６】
前記ユーザが指定したダウンロード先デバイスは、インターネットを介して前記マルチメディア・サーバ（６８，１１０）に接続されたホーム・エンタテイメント・システム（７０）を備えることを特徴とする請求項５に記載の無線通信デバイス。
【請求項７】
前記ユーザが指定したダウンロード先デバイスは、前記無線通信デバイス（１０）を含み、
前記ＮＦＣインタフェース（３０）は、さらに、
ホーム・エンタテイメント・システム（７０）に関連付けられた外部ＮＦＣリーダ（７２）と第２のＮＦＣリンクを確立することを特徴とする請求項５に記載の無線通信デバイス。
【請求項８】
前記制御部（２４）は、前記マルチメディア・コンテンツに関連付けられた情報を、前記第２のＮＦＣリンクを介して前記ホーム・エンタテイメント・システム（７０）にダウンロードすることを特徴とする請求項７に記載の無線通信デバイス。
【請求項９】
前記マルチメディア・コンテンツに関連付けられた前記情報は、前記マルチメディア・コンテンツを含むことを特徴とする請求項１に記載の無線通信デバイス。
【請求項１０】
前記マルチメディア・コンテンツに関連付けられた前記情報は、前記マルチメディア・コンテンツを再生するライセンス情報を含むことを特徴とする請求項１に記載の無線通信デバイス。
【請求項１１】
無線通信デバイス（１０）を用いてマルチメディア・コンテンツを配信するための方法であって、
前記無線通信デバイス（１０）のＮＦＣインタフェース（３０）と前記マルチメディア・コンテンツに関連付けられた外部のＮＦＣタグ（４６）との間の第１の近距離通信（ＮＦＣ）リンクを確立するステップと、
前記第１のＮＦＣリンクを確立したことに応じて、前記外部のＮＦＣタグ（４６）から前記マルチメディア・コンテンツに関連するデータを受信するステップと、
前記無線通信デバイス（１０）と、マルチメディア・サーバ（６８，１１０）との間の通信リンクを確立するステップと、
前記外部のＮＦＣタグ（４６）から受信された前記データに基づき、前記マルチメディア・コンテンツに関連付けられた情報をダウンロードするように前記マルチメディア・サーバ（６８，１１０）を制御するステップと
を含むことを特徴とする方法。
【請求項１２】
受信した前記データを解析するステップと、
解析した前記データをユーザに表示するステップと
をさらに含むことを特徴とする請求項１１に記載の方法。
【請求項１３】
前記通信リンクを確立する前記ステップは、
受信した前記データに含まれるユニフォーム・リソース・ロケータ（ＵＲＬ）に基づき、前記マルチメディア・サーバ（６８，１１０）に接続するステップを含むことを特徴とする請求項１２に記載の方法。
【請求項１４】
受信した前記データに含まれる前記マルチメディア・コンテンツのデジタル化されたサンプルに基づいて、前記ユーザに対して前記マルチメディア・コンテンツの一部を再生するステップをさらに含むことを特徴とする請求項１２に記載の方法。
【請求項１５】
前記マルチメディア・コンテンツに関連付けられた情報をダウンロードするように前記マルチメディア・サーバ（６８，１１０）を制御するステップは、前記情報をユーザが指定したダウンロード先デバイスへダウンロードするように前記マルチメディア・サーバ（６８，１１０）を制御するステップを含むことを特徴とする請求項１１に記載の方法。
【請求項１６】
前記ユーザが指定したダウンロード先デバイスは、前記マルチメディア・サーバ（６８，１１０）に対して通信可能に接続されるホーム・エンタテイメント・システム（７０）を備えることを特徴とする請求項１５に記載の方法。
【請求項１７】
前記ユーザが指定したダウンロード先デバイスは、前記無線通信デバイス（１０）を含み、
ホーム・エンタテイメント・システム（７０）に関連付けられた外部ＮＦＣリーダ（７２）と第２のＮＦＣリンクを確立するステップをさらに含むことを特徴とする請求項１５に記載の方法。
【請求項１８】
前記制御部は、前記マルチメディア・コンテンツに関連付けられた情報を、前記第２のＮＦＣリンクを介して前記ホーム・エンタテイメント・システム（７０）にダウンロードすることを特徴とする請求項１７に記載の方法。
【請求項１９】
前記マルチメディア・コンテンツに関連付けられた前記情報は、前記マルチメディア・コンテンツを含むことを特徴とする請求項１１に記載の方法。
【請求項２０】
前記マルチメディア・コンテンツに関連付けられた前記情報は、前記マルチメディア・コンテンツを再生するライセンス情報を含むことを特徴とする請求項１１に記載の方法。
【請求項２１】
マルチメディア配信システムであって、
それぞれの画像（４４）がマルチメディア・コンテンツに関連付けられている１つ以上の前記画像（４４）を含み、近距離通信（ＮＦＣ）可能なメディア・ディスプレイ（４２）と、
前記ＮＦＣ可能なメディア・ディスプレイ（４２）と第１のＮＦＣリンクを確立し、選択された画像（４４）に関連付けられた前記マルチメディア・コンテンツについてのデータを受信するＮＦＣインタフェース（３０）と、受信した前記データに基づき、通信ネットワークを介してマルチメディア・サーバ（６８，１１０）と通信を行ない、前記マルチメディア・サーバ（６８，１１０）から前記マルチメディア・コンテンツに関連付けられた情報をダウンロードする制御部（２４）とを備える無線通信デバイス（１０）と
を備えることを特徴とするマルチメディア配信システム。
【請求項２２】
各画像（４４）は、該画像（４４）に関連付けられた前記マルチメディア・コンテンツを表す前記データを格納する外部のＮＦＣタグ（４６）を含むことを特徴とする請求項２１に記載のマルチメディア配信システム。
【請求項２３】
前記第１のＮＦＣリンクは、前記外部のＮＦＣタグ（４６）に物理的に近接した位置に配置されている前記ＮＦＣインタフェース（３０）応じて確立されることを特徴とする請求項２２に記載のマルチメディア配信システム。
【請求項２４】
前記制御部（２４）は、前記マルチメディア・コンテンツに関連付けられた前記情報をユーザが指定したダウンロード先デバイスへダウンロードするように前記マルチメディア・サーバ（６８，１１０）を制御することを特徴とする請求項２１に記載のマルチメディア配信システム。
【請求項２５】
前記ユーザが指定したダウンロード先デバイスは、前記マルチメディア・サーバ（６８，１１０）に対して通信可能に接続されるホーム・エンタテイメント・システム（７０）を備えることを特徴とする請求項２４に記載のマルチメディア配信システム。
【請求項２６】
前記ユーザが指定したダウンロード先デバイスは、前記無線通信デバイス（１０）を含むことを特徴とする請求項２６に記載のマルチメディア配信システム。
【請求項２７】
前記ＮＦＣインタフェース（３０）は、さらに、ホームエンタ・テイメント・システム（７０）に通信可能に接続される外部ＮＦＣリーダ（７２）と第２のＮＦＣリンクを確立することを特徴とする請求項２１に記載のマルチメディア配信システム。
【請求項２８】
前記ＮＦＣインタフェース（３０）は、さらに、前記マルチメディア・コンテンツに関連付けられた前記情報を、前記第２のＮＦＣリンクを介して前記ＮＦＣリーダ（７２）に転送することを特徴とする請求項２４に記載のマルチメディア配信システム。
【発明の詳細な説明】
【技術分野】
【０００１】
本発明は、一般的に無線通信デバイスに関し、特に、近距離通信（ＮＦＣ）可能な無線通信デバイスに関するものである。
【背景技術】
【０００２】
オンライン発信源からの音楽やマルチメディア・コンテンツの購入やダウンロードを行なうことが次第に普及してきている。しかし、大部分のマルチメディアの販売は、未だに物理的なメディアを必要とし、物理的な小売市場に存在する。これは、「短命な」デジタル化されたバージョンよりも、むしろ実態のある製品を触ったり、見たり、感じたりする消費者の要望に起因するかもしれない。したがって、消費者は、彼らのマルチメディアの購入に関し、重要なものとして、物理的な小売市場を見続けるであろう。しかし、物理的なメディアは小売業者にとって多額のコストが必要になることを意味する。例えば、物理的なメディアは、物理的な在庫品目用の倉庫を必要とする。このように、小売業者の豊富な異なるマルチメディア・コンテンツを提供する能力は、格納スペース、又は、展示スペースの量によって制限されるかもしれない。さらに、物理的なメディアは、盗難されがちであり、消費者によって故意でない損傷が加えられる傾向がある。
【発明の概要】
【発明が解決しようとする課題】
【０００３】
本発明は、近距離通信（ＮＦＣ）可能な無線通信デバイスを用いてマルチメディア・コンテンツを配信するシステム及び方法に関するものである。本発明は、物理的なメディアの多くの品揃えを維持するために小売店のスペースの必要性を低減する。これは、そのような物理的な品揃えを維持することに関連するコストを低減し、小売店が消費者に多くの様々なメディアへのアクセスを提供することを許容する。
【課題を解決するための手段】
【０００４】
一実施形態において、システムは、メディア販売ディスプレイと、ＮＦＣ可能な無線通信デバイスとを備える。メディア販売ディスプレイは、例えば１つ以上の画像を有するキオスク又はディスプレイ・ウォールを備えてもよい。各画像は、オーディオファイル又はビデオファイルのコレクションなどの特定のマルチメディア・コンテンツに対応する。一例として、各画像は、特定のコンパクト・ディスク（ＣＤ）又はデジタル・ビデオ・ディスク（ＤＶＤ）の「アルバムアート」又は「カバーアート」を含んでもよい。ユーザは当該画像から特定のＣＤ又はＤＶＤを特定することができる。
【０００５】
関連付けられた各画像は、当該画像によって表されるマルチメディア・コンテンツに関連したデータを格納するＮＦＣタグである。データは、限定しないが、オーディオファイル又はビデオファイルと、アーティストの少なくとも１つを特定するテキストデータ、マルチメディア・コンテンツを販売するサーバを特定する１つ以上のユニフォーム・リソース・ロケータ（ＵＲＬ）、及び、マルチメディア・コンテンツの１つ以上のデジタルサンプルを含んでもよい。他の情報が含まれてもよい。
【０００６】
ＮＦＣ可能な無線通信デバイスは、ＮＦＣインタフェース、無線通信ネットワークを介してリモートパーティと通信するトランシーバ、及び、制御部を備える。ユーザがメディア販売ディスプレイ上の特定の画像によって表されるマルチメディア・コンテンツを購入することに興味がある場合、ユーザは、ＮＦＣインタフェースが選択した画像に関連付けられたＮＦＣタグに物理的に近接するように、ＮＦＣ可能な無線通信デバイスと選択した画像とを単に「接触」させるだけでよい。これにより、ＮＦＣタグによって、当該マルチメディア・コンテンツに関連するデータがＮＦＣインタフェースを介してＮＦＣ可能な無線通信デバイスに転送される。データを受信するとすぐに、制御部はユーザに表示するためにデータを解析してもよい。
【０００７】
その後、ユーザは、関連するマルチメディア・コンテンツ若しくは関連するマルチメディア・コンテンツを再生する権利を購入するために、又は、マルチメディア・コンテンツに追加の情報を判定するために、当該データを使用してもよい。一実施形態において、ユーザは、マルチメディア・コンテンツを提供するサーバ上のウェブサイトに接続するブラウザ・アプリケーションを起動するためにディスプレイからＵＲＬを選択してもよい。取引が完了すると、ユーザは、マルチメディア・コンテンツ及び権利の少なくとも一方を特定のダウンロード先デバイスにダウンロードするためにサーバを制御してもよい。
【０００８】
一実施形態において、ユーザは無線通信リンクを介して直接的にユーザのＮＦＣ可能な無線通信デバイスに、マルチメディア・コンテンツに関連付けられた情報を送信するようにサーバを制御してもよい。ＮＦＣ可能な無線通信デバイスのメモリに制限があるため、ユーザは後でホーム・エンタテイメント・システムなどの他のデバイス又はシステムに当該情報を転送してもよい。一例として、ユーザはユーザのホーム・エンタテイメント・システムに通信可能に接続された外部ＮＦＣリーダに物理的に近接した位置にＮＦＣ可能な無線通信デバイスを配置してもよい。これにより、ユーザのＮＦＣ可能な無線通信デバイスに、ＮＦＣリーダに接続された計算機デバイスに情報を転送させる。その後、ユーザは再生するために他の記憶媒体と、オーディオデバイス若しくはビデオデバイスとの少なくとも１つに対して情報を配信させてもよい。
【０００９】
一実施形態において、ユーザは、直接的にユーザのホーム・エンタテイメント・システムに情報を送信するためにマルチメディア・サーバを制御してもよい。このような場合において、ユーザの計算機デバイスは、インターネットを介してマルチメディア・サーバに通信可能に接続される。ユーザがウェブサイトからマルチメディア・コンテンツ又はマルチメディア・コンテンツの権利を購入する場合、ユーザは、例えば、ダウンロード先デバイスのような計算機デバイスのＩＰアドレスを特定してもよい。一旦ダウンロードすると、ユーザは再生するために他の記憶媒体と、オーディオデバイス若しくはビデオデバイスとの少なくとも１つに対して情報を配信させてもよい。
【図面の簡単な説明】
【００１０】
【図１】本発明の一実施形態に従って構成されたＮＦＣ可能な無線通信デバイスを示すブロック図である。
【図２】本発明の一実施形態に従って構成されたシステムの斜視図である。
【図３】本発明の一実施形態に係るＮＦＣ可能な無線通信デバイスを示す斜視図である。
【図４】本発明の一実施形態に係る携帯無線通信装置がマルチメディア・コンテンツを取得する際のネットワークを示すブロック図である。
【図５】本発明の一実施形態に係る方法を示すフローチャートである。
【図６】本発明の他の実施形態に係る携帯無線通信装置がマルチメディア・コンテンツを取得する際のネットワークを示すブロック図である。
【発明を実施するための形態】
【００１１】
本発明は、近距離通信（ＮＦＣ）可能な無線通信デバイスを用いてマルチメディア・コンテンツを購入するシステム及び方法に関するものである。一実施形態において、当該システムは、「アルバムアート」などの１つ以上の画像を有するキオスクのようなメディア販売ディスプレイを備える。各画像は、１つ以上のオーディオファイル又はビデオファイルなどのマルチメディア・コンテンツに対応し、ＮＦＣタグを含む。ＮＦＣタグは、オーディオファイル又はビデオファイルに関連するデータを格納する。
【００１２】
ユーザがＮＦＣ可能な無線通信デバイスで画像に「触れる（touch）」と、対応するＮＦＣタグは、そのデータをＮＦＣ可能な通信デバイスに転送する。制御部はユーザへの表示のために当該データを購入する。当該データは、限定はしないが、オーディオファイル又はビデオファイルを特定する文字列（テキスト）、オーディオファイル又はビデオファイルを販売するウェブサイトを特定する１つ以上のユニフォーム・リソース・ロケータ（ＵＲＬ）、及び、オーディオファイル又はビデオファイルの１つ以上のサンプルデータを含むことができる。ユーザは再生するサンプル、又は、オーディオファイル若しくはビデオファイルを購入するウェブサイトに進むためのＵＲＬを選択することができる。一旦購入すると、ユーザはユーザが指定したダウンロード先デバイスにファイルをダウンロードするようにウェブサイトを制御することができる。
【００１３】
図１は、本発明の使用に適したデュアル機能のＮＦＣ可能な無線通信デバイス１０を示す図である。本明細書及び図面において、ＮＦＣ可能な無線通信デバイス１０は、セルラ電話機として具体的に具現化されるが、これは一実施例のみを目的とするものである。当業者は、本発明が他のタイプの携帯消費者電子デバイスで具現化されてもよいことを理解するべきである。他のタイプの携帯消費者電子デバイスとは、限定はしないが、携帯情報端末（ＰＤＡ）、パームトップコンピュータ若しくはラップトップコンピュータ、衛星電話機、又は、他のタイプの携帯型若しくはハンドヘルド型の電子デバイスである。
【００１４】
ＮＦＣ可能なデバイス１０は、ユーザインタフェース（ＵＩ）１２と筐体内に配置される通信回路１４とを備える。ＵＩ１２は、ディスプレイ１６、キーパッド１８、スピーカ２０及びマイク２２を備える。通信回路１４は、制御部２４、オーディオＩ／Ｏ回路２６、メモリ２８、及びアンテナ３３に接続された長距離トランシーバ回路３２を備える。後で詳細に説明するように、通信回路１４のいくつかの実施形態は、アンテナ３５に接続された短距離トランシーバ３４を備える。メモリ２８は、制御部２４によって使用されるブラウザアプリケーション３６やユーザプロファイル３８などの１つ以上のアプリケーションプログラムと、関連付けられたユーザデータとを格納してもよい。
【００１５】
基地局サブシステム（ＢＳＳ）を介して遠隔のパーティと通信を行なう際のＵＩ１２及び通信回路１４の動作は、当技術分野でよく知られている。したがって、ここでは当該機能についての詳細な説明は省略する。ＮＦＣ可能なデバイス１０が何れかの既知の標準規格に従って動作可能な十分な機能を有するセルラ無線デバイスであることを理解させる本発明の目的としては十分である。そのような標準規格には、限定しないが、グローバル・システム・フォー・モバイル・コミュニケーション（ＧＳＭ）、ユニバーサル・モバイル・テレコミュニケーション・システム（ＵＭＴＳ）、ＴＩＡ／ＥＩＡ−１３６、符号分割多元接続（ＣＤＭＡ）、ｃｄｍａＯｎｅ、ｃｄｍａ２０００及び広帯域ＣＤＭＡが含まれる。
【００１６】
遠隔のパーティとの通信を容易にするコンポーネントに加えて、ＮＦＣ可能なデバイス１０はまた、近距離通信（ＮＦＣ）インタフェースを備える。近距離通信技術は、当技術分野でよく知られており、したがって、ここでは当該技術については簡単な説明のみの記載とする。しかし、関心のある読者は、当該技術を規格化する仕様書を読むことによってＮＦＣ技術についてより学ぶことができる。これらの仕様書は、現在、「ＮＦＣデータ交換フォーマット（ＮＤＥＦ）技術仕様書」、「ＮＦＣレコード形式定義（ＲＴＤ）技術仕様書」、及び、「ＮＦＣ  ＵＲＩ  ＲＴＤ技術仕様書」がある。これらの仕様書のそれぞれは、２００６年、７月２４日にバージョン１．０がリリースされ、それらの全ての参照によりここに組み込まれる。
【００１７】
近距離通信は、複数のデバイスが互いに情報を共有することを許容するために磁場誘導を用いる短距離無線接続技術である。通常、ＮＦＣデバイスは、１３．５６ＭＨｚの周波数で動作し、最大４２４Ｋｂｓのレートでデータを転送することができる。しかし、最大で２Ｍｂｐｓ以上のデータ転送速度が間もなく可能となるかもしれない。２つのＮＦＣ可能なデバイスの間での通信は、それらが互いに接触された場合に、或いは、互いに物理的に近接した範囲内に位置する場合に起こる。２つのＮＦＣ可能なデバイスを隔てる距離は、約０〜４センチメートルの間の何れかの距離とすることができる。しかし、当該距離は、最大で約２０センチメートルまで可能である。
【００１８】
ＮＦＣデバイスは、例えば、「タグ」やチップを備えることができ、それら自身は内部電源を備えてもよいし、備えなくてもよい。いくつかのＮＦＣデバイスは、また、バッテリなどの外部電源から電力を取り出してもよい。自身が電源を有するか、又は、外部電源から電力を取り出すそれらのＮＦＣデバイスは、「アクティブ」デバイスと称される。一方、自身が電源を有していないそれらのデバイスは「パッシブ」デバイスと称される。パッシブＮＦＣデバイスは、ＮＦＣリーダなどのアクティブＮＦＣデバイスによって放射された磁場を電力用に利用する。アクティブＮＦＣデバイスが十分にパッシブＮＦＣデバイスに近づくと、通信リンクを確立し、アクティブＮＦＣデバイスとデータをやり取りできるように、磁場からのエネルギーがパッシブＮＦＣデバイスに電力を供給する。
【００１９】
図１の実施形態において、ＮＦＣインタフェース３０は、パッシブＮＦＣタグなどのＮＦＣ可能な外部デバイスと、情報やデータをやり取りする能力を有する「アクティブ」トランシーバ回路とを備える。ＮＦＣインタフェース３０は、自身で電源を保持してもよく、ＮＦＣ可能な外部デバイスに電力を供給するような、デバイス１０と関連付けられたバッテリから電力を取り出してもよい。ＮＦＣリンクが確立されるとすぐに、外部ＮＦＣデバイスは、そのメモリに格納された情報及びデータの少なくとも一方をＮＦＣインタフェース３０に送信する。
【００２０】
ＮＦＣインタフェース３０は、単にパッシブＮＦＣデバイスと情報やデータをやり取りすることに制限されるわけではない。他の実施形態において、例えば、ＮＦＣインタフェース３０は、他の外部アクティブＮＦＣデバイスと「ピア（peer）」モードで動作する。２つのデバイスが互いに物理的に近接した位置に配置されるとすぐに、２つのデバイス間でのデータ交換が双方向で行なわれる。他の実施形態において、電力を節約するために、ＮＦＣインタフェース３０は、「タグ・エミュレーション」モードで動作する。当該モードでは、ＮＦＣインタフェース３０は、ＮＦＣリーダなどの他の外部ＮＦＣデバイスから磁気エネルギーを検知するまで「スリープ」する。磁気エネルギーを検知することは、ＮＦＣインタフェース３０を「ウェイクアップ」状態にするトリガとなる。ＮＦＣインタフェース３０は、その後、外部ＮＦＣデバイスへデータを送信するか、或いは、外部ＮＦＣデバイスからデータを受信するために、プログラマブル・タグのように動作することができる。このように、ＮＦＣインタフェース３０は、外部ＮＦＣデバイスに対して、情報及びデータの少なくとも一方を送受信する能力を有する。
【００２１】
本発明によれば、ユーザのＮＦＣ可能なデバイス１０は、ユーザがＮＦＣ可能な小売メディア・ディスプレイから様々なマルチメディア・コンテンツを購入することを許容するシステムの一部であってもよい。一実施形態において、ユーザは、ＮＦＣ可能なキオスクの近接した範囲内にＮＦＣ可能なデバイス１０を配置する。当該ＮＦＣ可能なキオスクは、例えば、様々なマルチメディア・コンテンツに関連付けられた１つ以上の画像を含む。各画像は、コンパクト・ディスク（ＣＤ）又はデジタル・ビデオ・ディスク（ＤＶＤ）に対応し、ＣＤ又はＤＶＤに関連する情報やデータを格納するＮＦＣタグを含む。選択した画像に近接した位置にユーザがＮＦＣ可能なデバイス１０を配置すると、関連付けられたＮＦＣタグは、その情報及びデータの少なくとも一方をＮＦＣインタフェース３０に転送する。その後、ユーザは選択した画像に関連付けられたＣＤ又はＤＶＤを購入するために、当該情報及びデータの少なくとも一方を使用することができる。
【００２２】
図２は、本発明の一実施形態に係るシステム４０を示す図である。システム４０は、キオスク４２などのＮＦＣ可能な小売メディアディスプレイを備える。キオスク４２は、「アルバムアート」又は「カバーアート」などの複数の画像４４を含む。各画像４４は、ユーザが認識することができ、購入を望むようなＣＤ又はＤＶＤに関連付けられている。
【００２３】
各画像４４は、さらに、関連付けられた画像４４に関連する情報及びデータの少なくとも一方とともにプログラムされた自身のパッシブＮＦＣタグ４６を含む。例えば、ＮＦＣタグ４６は、ＣＤ若しくはＤＶＤのタイトル、ＣＤ若しくはＤＶＤに関連付けられたアーティスト、ＣＤ若しくはＤＶＤに含まれる歌詞若しくはトラック、ＣＤ若しくはＤＶＤを購入するための価格や他の情報を特定する文字列、及び、ＣＤ若しくはＤＶＤのデジタル化されたサンプルやビデオクリップとともにプログラムされてもよい。また、ＮＦＣタグ４６は、ユーザがＣＤ若しくはＤＶＤ購入するか又はサンプルトラック若しくはビデオクリップをダウンロードする遠隔のサーバ上のウェブサイトにおける１つ以上のユニフォーム・リソース・ロケータ（ＵＲＬ）を含んでもよい。他の情報及びデータは、必要であれば、又は、要望があればＮＦＣタグ４６にプログラムされてもよい。
【００２４】
一実施形態において、各ＮＦＣタグ４６は、ユーザがＮＦＣタグ４６の位置を容易に特定できるように、画像上のよく認識されたシンボルなどの「ターゲット」に近接して配置される。特定の画像４４に対する情報又はデータを取得するために、ユーザは、ＮＦＣ可能なデバイス１０をＮＦＣタグ４６に物理的に近接して配置するか、或いは、ＮＦＣ可能なデバイス１０を関連付けられたＮＦＣタグ４６に物理的に接触させる。これは、デバイス１０のＮＦＣインタフェース３０と、ＮＦＣタグ４６との間でＮＦＣ通信リンク４８を確立させ、ＮＦＣタグ４６に対して、その情報及びデータを、ユーザのＮＦＣ可能なデバイス１０に転送させる。
【００２５】
当該データは、様々なメッセージフォーマットを用いてＮＦＣ可能なデバイス１０に転送されてもよい。一実施形態において、例えば、ＮＦＣタグ４６は、データ交換フォーマット（ＮＤＥＦ）メッセージにおいてデータ・ペイロードを転送する。このメッセージフォーマットは、ＮＦＣフォーラムによって提供された「Smart Poster Record Type Definition Techical Specification, SPR1.1」において説明されている。この仕様書は、２００６年７月２４日にバージョン１．０としてリリースされており、その全体の参照によりここに組み込まれる。他の実施形態において、ＮＦＣタグ４６は、拡張マークアップ言語（ＸＭＬ）に従ってフォーマットされたファイルでＮＦＣ可能なデバイス１０にデータを転送する。ＸＭＬファイルは、多くの異なるタイプのデータを記述することができるテキストファイルである。ＸＭＬファイルはまた、本発明のデジタル化されたサンプルなどのデータを含んでもよい。また、ＸＭＬファイルは、当技術分野でよく知られているため、ここでは詳細に説明しない。しかし、関心のある読者は、より情報を得るために、「拡張マークアップ言語（ＸＭＬ）１．０（第４版）」を参照されたい。当該仕様書は、２００６年８月１６日付けであり、その全体の参照によりここに組み込まれる。
【００２６】
データがユーザのデバイス１０に転送されるとすぐに、制御部２４は、当該データを解析し、ディスプレイ１６に解析したデータを送信してもよい。図３は、例えば、本発明の一実施形態において、ユーザに対して表示される、選択されたＮＦＣタグ４６から転送されたデータがどのようなデータであるかを示す図である。ディスプレイ１６は、複数のエンティティを有するリスト５０としてデータを表示する。本実施形態において、リスト５０は、ＣＤのタイトル、ＣＤに関連付けられたアーティスト、ＣＤに含まれるトラックの名前、ユーザがＣＤを購入できるＵＲＬ、及び、ＣＤの購入に関連する価格を含む。いくつかの実施形態において、リスト５０はまた、ユーザに対して無料又は値下げされたアイテムに結びつくＣＤを販売する１つ以上の特定のＵＲＬを含んでもよい。ユーザは、リスト５０をナビゲートするキーパッド１８を使用して、リストエントリの１つ以上を選択することができる。
【００２７】
一例として、ユーザは「ＴＲＡＫＳ（トラック）」エントリを強調し、選択するためにキーパッド１８を使用してもよい。ディスプレイ１６は、当該ＣＤで利用可能なトラックのリストを表示するように変更してもよい。ＮＦＣタグ４６がトラックのデジタル化されたサンプルを転送した場合、ユーザは、スピーカを介してサンプルを再生るために１つ以上のトラックを強調し、選択してもよい。同様に、リスト５０のＵＲＬの１つを強調して、選択することは、ユーザを表示したウェブサイトにアクセスするブラウザアプリケーション３６を起動してもよい。ユーザは、個々の歌、又は、ＣＤ全体をダウンロードするか、及び／又は、購入するウェブサイトをナビゲートするためにキーパッド１８を使用してもよい。ユーザは購入したマテリアルを、ＮＦＣ可能なデバイス１０、又は、他のユーザが指定した宛先にダウンロードさせてもよい。
【００２８】
図４は、本発明の一実施形態に係るＮＦＣ可能なデバイス１０がＣＤ又はＤＶＤを購入し、ダウンロードする際のシステム６０の一例を示すブロック図である。システム６０は、無線アクセスネットワーク（ＲＡＮ）６２及びコアネットワーク（ＣＮ）６４を有する無線通信ネットワークを備える。ＲＡＮ６２及びＣＮ６４の動作は、当技術分野ではよく知られているため、ここでは詳細に説明しない。無線通信ネットワークＲＡＮ６２及びＣＮ６４がＮＦＣ可能なデバイス１０のユーザに１つ以上の遠隔のパーティと音声トラフィック及びデータトラフィックの少なくとも一方をやり取りすることを許容することが理解されれば十分である。
【００２９】
コアネットワーク６４はまた、インターネットなどのＩＰネットワーク６６に接続されてもよい。ＮＦＣ可能なデバイス１０のユーザは、当該インターネットを通じて、サード・パーティ・サーバ６８及びホーム・エンタテイメント・システム７０にアクセスしてもよい。一実施形態において、サーバ６８は、マルチメディア・コンテンツを格納し、ユーザにマルチメディア・コンテンツを販売するためにサード・パーティ・サーバを備える。ホーム・エンタテイメント・システム７０は、ユーザに対してオーディオ及びビデオの少なくとも一方を再生するために、複数の内部接続されたホームオーディオ装置及びビデオ装置の少なくとも１つを備えてもよい。例えば、ホーム・エンタテイメント・システム７０は、ＤＶＤプレイヤ、ＣＤプレイヤ、テレビ、ホームシアターシステム、オーディオシステム、及び様々なコンポーネントを制御するためにインターネットに接続されるコンピューティング・デバイス（計算機デバイス）を含んでもよい。他のオーディオ及びビデオの少なくとも一方のコンポーネントも可能である。ＮＦＣリーダなどの外部ＮＦＣデバイス７２は、例えば、ホーム・エンタテイメント・システム７０に接続する。外部ＮＦＣデバイス７２は、ユーザが当該ユーザのハンドヘルド型のＮＦＣ可能なデバイス１０とホーム・エンタテイメント・システム７０との間のＮＦＣ通信リンク７４を確立することを許容する。
【００３０】
図５は、本発明の一実施形態に係るマルチメディア・コンテンツを購入するための方法８０を示す図である。図５では音楽ＣＤを購入する状況で説明するが、当業者には、方法８０がビデオ、画像、アプリケーションプログラム等の他の形式のマルチメディア・コンテンツを購入するか、及び／又は、配信するために使用されることが容易に理解されるべきである。
【００３１】
方法８０は、ユーザがＮＦＣ可能なデバイス１０でキオスク４２の所望の画像４４に関連付けられたＮＦＣタグ４６に触れた場合に開始される。これは、ユーザのＮＦＣ可能なデバイス１０とＮＦＣタグ４６との間で第１のＮＦＣリンク４８を確立する（ボックス８２）。続いて、ＮＦＣタグ４６は、ＮＦＣリンク４８を介して画像４４に関連付けられたオーディオファイルに関するデータをＮＦＣ可能なデバイス１０に転送する（ボックス８４）。当該データは、限定しないが、ユーザが再生するマルチメディア・コンテンツの１つ以上のデジタル化されたサンプルだけでなく、タイトル、アーティスト、及びトラックのテキスト（文字列）情報を含んでもよい。ＮＦＣ可能なデバイス１０における制御部２４は、リスト５０としてユーザに表示させるために受信データを解析する（ボックス８６）。ＵＩ１２を用いて、ユーザは、マルチメディア・コンテンツを購入する前にリスト５０から１つ以上のエントリを強調して、選択する（ボックス８８）。例えば、ＮＦＣタグ４６がトラックのデジタルサンプルを転送した場合、ユーザは、リスト５０からトラックを選択することによってそれらのサンプルを再生することができる。これは、例えば、サンプルオーディオを再生するためにオーディオ・プレイヤ・アプリケーションを起動させることで実現する（ボックス９０）。これにより、ユーザが購入する前にキオスク４２によって提供されているマルチメディア・コンテンツを試すことができる。
【００３２】
ユーザがマルチメディア・コンテンツを購入することを決定すれば、ユーザは、リスト５０におけるＵＲＬの１つを強調して、選択することができる。一実施形態において、リスト５０からＵＲＬを選択することは、サーバ６８に接続するためにＮＦＣ可能なデバイス１０上でブラウザアプリケーション３８を起動する制御信号を制御部２４によって生成させる。その後、ユーザはマルチメディア・コンテンツ及びマルチメディアに対する権利の少なくとも一方を購入するために、１つ以上のウェブページ及び／又はリンクをナビゲートしてもよい（ボックス９４）。
【００３３】
購入を完了するために、ユーザは、サーバ６８にユーザ情報を提供することが必要とされる（ボックス９６）。一実施形態において、ユーザには、クレジットカード番号、請求先住所、及び、ホームエンタテイメント・システム７０において送信先のコンポーネントに関連付けられたＩＰアドレス又は電話番号などの個人情報を手動で入力するために１つ以上のデータ入力画面が提示されてもよい。或いは、制御部２４はユーザプロファイル３６をサーバ６８に送信するために制御信号を生成してもよい。ユーザプロファイル３８は、メモリ２８に格納され、ユーザ特有の情報を含む。制御部２４は、ユーザプロファイル３６の情報を、自動で、又は、ユーザのコマンドに応じてかの何れかで送信してもよい。いくつかの実施形態において、当該ユーザ情報は、サーバ６８に格納されてもよい。後者の場合において、ユーザには、ユーザ情報を確認する目的でユーザ情報を表示する画面が提供されてもよい。
【００３４】
購入されると、サーバ６８は、ユーザが指定したダウンロード先デバイスにマルチメディア・コンテンツをダウンロードさせる。本実施形態において、ダウンロード先デバイスは、サーバ６８と、ホーム・シアタ・システム７０とを相互接続する計算機デバイスを含む（ボックス９８）。その後、ユーザはマルチメディア・コンテンツを、直接的に、計算機デバイスに通信可能に接続されたＣＤプレイヤなどの適切な再生デバイスに転送させることができる。或いは、ユーザはダウンロードしたファイルを、ＣＤなどの記憶媒体に転送するためにサードパーティ・ソフトウェア・パッケージを使用してもよい。ＮＦＣ可能なデバイス１０が十分なサイズのメモリ２８を備えていれば、ユーザはＲＡＮ６２及びＣＮ６４を介してＮＦＣ可能なデバイス１０にファイルをダウンロードすることを選択してもよい（ボックス１００）。そのような実施形態において、ユーザはデバイス１０でコンテンツを再生するか、又は、後でホーム・エンタテイメント・システム７０に当該コンテンツを転送してもよい。ダウンロードしたコンテンツをホーム・エンタテイメント・システム７０に転送することを容易にするために、ユーザは外部ＮＦＣデバイス７２と第２のＮＦＣ通信リンク７４を確立させてもよい（ボックス１０２）。
【００３５】
ＮＦＣ通信リンク７４が確立されると、制御部２４は、ダウンロードしたコンテンツ及び権利の少なくとも一方を外部ＮＦＣデバイス７２に転送するように制御信号を生成する（ボックス１０４）。外部ＮＦＣデバイス７２は、順々に、マルチメディア・コンテンツを計算機デバイス又はホーム・エンタテイメント・システム７０の他のコンポーネントに転送する。上述したように、ユーザは、その後、マルチメディア・コンテンツを直接的に適切な再生デバイス又は記憶媒体に転送するために計算機デバイスを使用してもよい。ＮＦＣ可能なデバイス１０から転送されると、制御部２４は、メモリ２８からマルチメディア・コンテンツを削除する制御信号を生成してもよい（ボックス１０６）。
【００３６】
当業者には、本発明が実際のマルチメディア・コンテンツのみダウンロードすることに制限されないことが理解されるべきである。他の実施形態において、ユーザはサーバ６８からマルチメディア・コンテンツを再生するために権利を購入する方法８０を用いてもよい。一例として、サーバ６８は、購入の時間において、予め特定された再生デバイスの制限した回数で、購入された歌を再生する権利をユーザに与えてもよい。ユーザはサーバ６８から追加のライセンスを購入する上述の方法８０を用いることによって、追加の再生デバイスにそれらの権利を延長することができる。追加のライセンスは権利の有効寿命についてユーザを制限するために、時間制限されたものであってもよいし、時間制限されていないものであってもよい。さらに、権利はマルチメディア・コンテンツと合わせて、又は、マルチメディア・コンテンツとは独立して購入されてもよい。
【００３７】
さらに、本発明は、長距離セルラ通信リンクを介してＮＦＣ可能なデバイス１０にマルチメディア・コンテンツをダウンロードすることに制限されるわけではない。例えば、図６は、ＮＦＣ可能なデバイス１０がキオスク４２を有する小売店に関連付けられた対応する短距離送信機と、短距離通信リンクを確立し、短距離インタフェースを介してマルチメディア・コンテンツ及びマルチメディア・コンテンツの権利の少なくとも一方をダウンロードする他の実施形態を示す図である。
【００３８】
図６に示すように、小売店は、ローカルＩＰネットワークを介してサーバ１１０に接続される短距離トランシーバ１０８を備えてもよい。短距離トランシーバ１０８は、何れかの既知の標準規格に従って動作するトランシーバを備える。そうのような標準規格には、限定はしないが、よく知られているＢＬＵＥＴＯＯＴＨ（登録商標）、Ｗｉ−Ｆｉ、又はＷｉＭａｘファミリの標準規格の何れかが含まれる。サーバ１１０は、マルチメディア・コンテンツを格納し、ユーザに対して販売するように構成された当技術分野で知られている何れかのサーバであってもよい。本実施形態において、サーバ１１０は、小売店に配置され、キオスク４２で画像４４に関連付けられたマルチメディア・コンテンツを格納する。しかし、サーバ１１０は現場から離れて配置されてもよい。ローカルＩＰネットワーク１１２は、例えばサーバ１１０と短距離トランシーバ１０８とを相互接続するローカル・エリア・ネットワーク（ＬＡＮ）であってもよい。さらに、ローカルＩＰネットワーク１１２は、ＩＰネットワーク６６を介して、ホーム・エンタテイメント・システム７０及びサーバ６８の少なくとも一方への接続を提供してもよい。上記実施形態によれば、ＮＦＣ可能なデバイス１０のユーザは、選択した画像４４に関連付けられたデータを取得するために、ＮＦＣ可能なデバイス１０をキオスク４８のＮＦＣタグ４６に接触させてもよい。その後、ユーザは、上述したように、選択したコンテンツのサンプルをダウンロードすることと、マルチメディア・コンテンツ及び権利の少なくとも一方を購入することと、の少なくとも一方を行なうために、ＮＦＣ可能なデバイス１０と短距離トランシーバ１０８との間で確立された短距離インタフェースを介してサーバ１１０にアクセスすることができる。その後、購入されたデータは短距離インタフェースを介してＮＦＣ可能なデバイス１０に送信される。ユーザは、上述したように、ＮＦＣリーダ７２を介して、又は、ネットワーク１１２、６６を介して、ホーム・エンタテイメント・システム７０にデータを転送することができる。いくつかの実施形態において、サーバ１１０は、情報及びマルチメディア・コンテンツの少なくとも一方を取得することが必要であれば、サーバ６８にアクセスしてもよい。
【００３９】
ＮＦＣ可能なデバイス１０のユーザはまた、ＮＦＣインタフェースを介してサーバ１１０、６８から選択したマルチメディア・コンテンツをダウンロードしてもよい。特に、小売業者は、小売業者と消費者との間の販売時点管理（ＰｏＳ）取引を容易にする外部ＮＦＣデバイス１１４を有してもよい。適切に構成されたＮＦＣ可能なデバイス１０は、外部ＮＦＣデバイス１１４とのＮＦＣリンクを確立することができ、ＮＦＣタグ４６から受信されるデータを転送することができる。外部ＮＦＣデバイス１１４は、サーバ６８から選択された画像４４に対する、サンプル、マルチメディア・コンテンツ、及び当該コンテンツへの権利の少なくとも１つを取り出し、ユーザのＮＦＣ可能なデバイス１０又はいくつかの他のユーザが指定したダウンロード先デバイスに当該データを送信する。その後、ユーザは当技術分野知られているように購入したマルチメディア・コンテンツに対して料金を支払う。
【００４０】
当業者には、本発明のＮＦＣ可能なデバイス１０がセルラ電話機又は任意の他のタイプの通信可能なデバイスとして具現化されることに制限されないことが理解されるべきである。いくつかの実施形態において、例えば、デバイス１０は、選択された画像４４に関連するデータを受信する、ＮＦＣ可能な情報処理端末（ＰＤＡ）、計算機デバイス、又は、他のハンドヘルド型の消費者電子デバイスを含んでもよい。
【００４１】
さらに、ＮＦＣ可能なデバイス１０は、ユーザに関連付けられることを必要とせず、むしろキオスク４２に関連付けられてもよい。具体的には、キオスク４２は、それ自身のＮＦＣ可能なデバイス１０を含むことができる。自身のＮＦＣ可能なデバイス１０を所有していない消費者は、上述したように、ＮＦＣタグ４６からデータを受信し、サンプルを取得し、マルチメディア・コンテンツを購入し、特定のダウンロード先デバイスに購入したマルチメディア・コンテンツをダウンロードするためにキオスクに関連付けられたデバイス１０を使用することができる。
【００４２】
また、本発明は、選択した画像４４に関連付けられたマルチメディア・コンテンツの全体を購入することにユーザを限定しない。例えば、画像４４がオーディオＣＤを表示している場合に、デバイス１０のユーザはマルチメディア・コンテンツの１つ以上の部分（例えば、１つ以上の個別の歌のタイトル）を選択的に購入してもよい。いくつかの実施形態において、ユーザは、限定はしないが着信音、画像及び動画クリップを含む選択した画像４４に関連付けられた他のマルチメディア・コンテンツをダウンロードしてもよい。
【００４３】
本発明のシステムは様々な利益を提供する。例えば、本発明は、物理的なメディアの多くの品揃えを維持するために小売店の必要スペースを最小化する。これは、それらの物理的なメディアの盗難に関連するコストだけでなく、そのような多くの物理的な品揃えを維持することに関連するコストを低減する。また、これは、小売店が最新のリリース品を提供するだけでなく、バック・カタログを含む広範囲の様々なメディアへのアクセスを消費者に提供することを許容する。消費者は、コンテンツを購入する前にメディア・ディスプレイを試すことができるため、利益を得る。さらに、実際の物理的なメディアを展示する必要がないため、小売店は、他のアイテムを表示することができる追加のウォール・スペースを得る。
【００４４】
本発明は、もちろん、本発明の本質的な特徴から逸脱することなく、ここで具体的に記載した方法とは異なる他の方法で実行されてもよい。本発明の実施形態は、説明した全ての観点で考慮されるべきであり、かつ、制限されない。また、添付の特許請求の範囲の意図する及び同等の範囲内で可能な全ての変更は本明細書に取り込まれていることが意図されている。
【図１】
2010512060.tif 000003
【図２】
2010512060.tif 000004
【図３】
2010512060.tif 000005
【図４】
2010512060.tif 000006
【図５】
2010512060.tif 000007
【図６】
2010512060.tif 000008
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
無線通信デバイス（１０）であって、
外部のＮＦＣタグ（４６）と第１のＮＦＣリンクを確立したことに応じて、前記外部のＮＦＣタグ（４６）からマルチメディア・コンテンツに関連するデータを受信する近距離通信（ＮＦＣ）インタフェース（３０）と、
通信ネットワークを介してマルチメディア・サーバ（６８，１１０）と通信を行なうトランシーバ（３２，３４）と、
受信した前記データに基づき、前記マルチメディア・サーバ（６８，１１０）と通信リンクを確立し、前記無線通信デバイス（１０）が十分なメモリ（２８）を有していれば前記マルチメディア・コンテンツに関連付けられた情報を前記無線通信デバイス（１０）にダウンロードするように、又は、前記無線通信デバイス（１０）が十分なメモリ（２８）を有していなければ前記マルチメディア・コンテンツに関連付けられた情報をユーザが指定した遠隔のデバイスにダウンロードするように、前記マルチメディア・サーバ（６８，１１０）を制御する制御部（２４）と
を備えることを特徴とする無線通信デバイス。
【請求項２】
ディスプレイ（１６）をさらに備え、
前記制御部（２４）は、受信した前記データを解析し、解析した前記データをユーザに表示することを特徴とする請求項１に記載の無線通信デバイス。
【請求項３】
解析した前記データは、前記マルチメディア・サーバ（６８，１１０）のユニフォーム・リソース・ロケータ（ＵＲＬ）を含み、
前記制御部（２４）は、前記ＵＲＬに基づいて前記マルチメディア・サーバ（６８，１１０）と通信リンクを確立することを特徴とする請求項２に記載の無線通信デバイス。
【請求項４】
解析した前記データは、マルチメディア・コンテンツのサンプルを含み、
前記制御部（２４）は、前記ユーザに前記サンプルを再生することを特徴とする請求項２に記載の無線通信デバイス。
【請求項５】
前記ユーザが指定したのダウンロード先デバイスは、インターネットを介して前記マルチメディア・サーバ（６８，１１０）に接続されたホーム・エンタテイメント・システム（７０）を備えることを特徴とする請求項１に記載の無線通信デバイス。
【請求項６】
前記ユーザが指定した遠隔のダウンロード先デバイスは、前記無線通信デバイス（１０）を含み、
前記ＮＦＣインタフェース（３０）は、さらに、
ホーム・エンタテイメント・システム（７０）に関連付けられた外部ＮＦＣリーダ（７２）と第２のＮＦＣリンクを確立することを特徴とする請求項１に記載の無線通信デバイス。
【請求項７】
前記制御部（２４）は、前記マルチメディア・コンテンツに関連付けられた情報を、前記第２のＮＦＣリンクを介して前記ホーム・エンタテイメント・システム（７０）にダウンロードすることを特徴とする請求項６に記載の無線通信デバイス。
【請求項８】
前記マルチメディア・コンテンツに関連付けられた前記情報は、前記マルチメディア・コンテンツを含むことを特徴とする請求項１に記載の無線通信デバイス。
【請求項９】
前記マルチメディア・コンテンツに関連付けられた前記情報は、前記マルチメディア・コンテンツを再生するライセンス情報を含むことを特徴とする請求項１に記載の無線通信デバイス。
【請求項１０】
無線通信デバイス（１０）を用いてマルチメディア・コンテンツを配信するための方法であって、
前記無線通信デバイス（１０）のＮＦＣインタフェース（３０）と前記マルチメディア・コンテンツに関連付けられた外部のＮＦＣタグ（４６）との間の第１の近距離通信（ＮＦＣ）リンクを確立するステップと、
前記第１のＮＦＣリンクを確立したことに応じて、前記外部のＮＦＣタグ（４６）から前記マルチメディア・コンテンツに関連するデータを受信するステップと、
前記無線通信デバイス（１０）と、マルチメディア・サーバ（６８，１１０）との間の通信リンクを確立するステップと、
前記無線通信デバイス（１０）が十分なメモリ（２８）を有していれば、前記外部のＮＦＣタグ（４６）から受信された前記データに基づき、前記マルチメディア・コンテンツに関連付けられた情報を前記無線通信デバイス（１０）にダウンロードするように前記マルチメディア・サーバ（６８，１１０）を制御するステップと、
前記無線通信デバイス（１０）が十分なメモリ（２８）を有していなければ、前記外部のＮＦＣタグ（４６）から受信された前記データに基づき、前記マルチメディア・コンテンツに関連付けられた情報をユーザが指定した遠隔のダウンロード先デバイスにダウンロードするように前記マルチメディア・サーバ（６８，１１０）を制御するステップと
を含むことを特徴とする方法。
【請求項１１】
受信した前記データを解析するステップと、
解析した前記データをユーザに表示するステップと
をさらに含むことを特徴とする請求項１０に記載の方法。
【請求項１２】
前記通信リンクを確立する前記ステップは、
受信した前記データに含まれるユニフォーム・リソース・ロケータ（ＵＲＬ）に基づき、前記マルチメディア・サーバ（６８，１１０）に接続するステップを含むことを特徴とする請求項１１に記載の方法。
【請求項１３】
受信した前記データに含まれる前記マルチメディア・コンテンツのデジタル化されたサンプルに基づいて、前記ユーザに対して前記マルチメディア・コンテンツの一部を再生するステップをさらに含むことを特徴とする請求項１１に記載の方法。
【請求項１４】
前記ユーザが指定した遠隔のダウンロード先デバイスは、前記マルチメディア・サーバ（６８，１１０）に対して通信可能に接続されるホーム・エンタテイメント・システム（７０）を備えることを特徴とする請求項１０に記載の方法。
【請求項１５】
前記無線通信デバイス（１０）とホーム・エンタテイメント・システム（７０）に関連付けられた外部ＮＦＣリーダ（７２）との間で第２のＮＦＣリンクを確立するステップをさらに含むことを特徴とする請求項１０に記載の方法。
【請求項１６】
前記制御部は、前記マルチメディア・コンテンツに関連付けられた情報を、前記第２のＮＦＣリンクを介して前記ホーム・エンタテイメント・システム（７０）にさらにダウンロードすることを特徴とする請求項１５に記載の方法。
【請求項１７】
前記マルチメディア・コンテンツに関連付けられた前記情報は、前記マルチメディア・コンテンツを含むことを特徴とする請求項１０に記載の方法。
【請求項１８】
前記マルチメディア・コンテンツに関連付けられた前記情報は、前記マルチメディア・コンテンツを再生するライセンス情報を含むことを特徴とする請求項１０に記載の方法。
【請求項１９】
マルチメディア配信システムであって、
それぞれの画像（４４）がマルチメディア・コンテンツに関連付けられている１つ以上の前記画像（４４）を含み、近距離通信（ＮＦＣ）可能なメディア・ディスプレイ（４２）と、
前記ＮＦＣ可能なメディア・ディスプレイ（４２）と第１のＮＦＣリンクを確立し、選択された画像（４４）に関連付けられた前記マルチメディア・コンテンツについてのデータを受信するＮＦＣインタフェース（３０）と、受信した前記データに基づき、通信ネットワークを介してマルチメディア・サーバ（６８，１１０）と通信を行ない、前記無線通信デバイス（１０）が十分なメモリ（２８）を有していれば前記マルチメディア・サーバ（６８，１１０）から前記マルチメディア・コンテンツに関連付けられた情報を前記無線通信デバイス（１０）にダウンロードし、又は、前記無線通信デバイス（１０）が十分なメモリ（２８）を有していなければ前記マルチメディア・コンテンツに関連付けられた情報をユーザが指定した遠隔のダウンロード先デバイスにダウンロードする制御部（２４）とを備える無線通信デバイス（１０）と
を備えることを特徴とするマルチメディア配信システム。
【請求項２０】
各画像（４４）は、該画像（４４）に関連付けられた前記マルチメディア・コンテンツを表す前記データを格納する外部のＮＦＣタグ（４６）を含むことを特徴とする請求項１９に記載のマルチメディア配信システム。
【請求項２１】
前記第１のＮＦＣリンクは、前記外部のＮＦＣタグ（４６）に物理的に近接した位置に配置されている前記ＮＦＣインタフェース（３０）応じて確立されることを特徴とする請求項２０に記載のマルチメディア配信システム。
【請求項２２】
前記ユーザが指定した遠隔のダウンロード先デバイスは、前記マルチメディア・サーバ（６８，１１０）に対して通信可能に接続されるホーム・エンタテイメント・システム（７０）を備えることを特徴とする請求項１９に記載のマルチメディア配信システム。
【請求項２３】
前記無線通信デバイス（１０）とホーム・エンタテイメント・システム（７０）に通信可能に接続された外部ＮＦＣリーダ（７２）との間で第２のＮＦＣリンクを確立することを特徴とする請求項１９に記載のマルチメディア配信システム。
【請求項２４】
前記ＮＦＣインタフェース（３０）は、さらに、前記マルチメディア・コンテンツに関連付けられた前記情報を、前記第２のＮＦＣリンクを介して前記外部ＮＦＣリーダ（７２）にさらに転送することを特徴とする請求項２３に記載のマルチメディア配信システム。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
無線通信デバイス（１０）であって、
外部のＮＦＣタグ（４６）と第１のＮＦＣリンクを確立したことに応じて、前記外部のＮＦＣタグ（４６）からマルチメディア・コンテンツに関連するデータを受信する近距離通信（ＮＦＣ）インタフェース（３０）と、
通信ネットワークを介してマルチメディア・サーバ（６８，１１０）と通信を行なうトランシーバ（３２，３４）と、
受信した前記データに基づき、前記マルチメディア・サーバ（６８，１１０）と第１の通信リンクを確立し、前記マルチメディア・コンテンツに関連付けられた情報をユーザが指定した遠隔のデバイスに第２の通信リンクを介してダウンロードするように、前記マルチメディア・サーバ（６８，１１０）を制御する制御部（２４）と
を備えることを特徴とする無線通信デバイス。
【請求項２】
ディスプレイ（１６）をさらに備え、
前記制御部（２４）は、
前記ユーザへの表示のために、前記マルチメディア・サーバ（６８，１１０）のユニフォーム・リソース・ロケータ（ＵＲＬ）を含む、受信した前記データを解析し、
前記ＵＲＬに基づき、前記マルチメディア・サーバ（６８，１１０）と前記第１の通信リンクを確立することを特徴とする請求項１に記載の無線通信デバイス。
【請求項３】
前記制御部（２４）は、
前記マルチメディア・コンテンツのサンプルを含む、受信した前記データを解析し、
前記ユーザに前記サンプルを再生することを特徴とする請求項１に記載の無線通信デバイス。
【請求項４】
前記ユーザが指定した遠隔のデバイスは、インターネットを介して前記マルチメディア・サーバ（６８，１１０）に接続されたホーム・エンタテイメント・システム（７０）を備えることを特徴とする請求項１に記載の無線通信デバイス。
【請求項５】
前記マルチメディア・コンテンツに関連付けられた前記情報は、前記マルチメディア・コンテンツと該マルチメディア・コンテンツを再生するライセンス情報との少なくとも１つを含むことを特徴とする請求項１に記載の無線通信デバイス。
【請求項６】
無線通信デバイス（１０）を用いてマルチメディア・コンテンツを配信するための方法であって、
前記無線通信デバイス（１０）のＮＦＣインタフェース（３０）と前記マルチメディア・コンテンツに関連付けられた外部のＮＦＣタグ（４６）との間の第１の近距離通信（ＮＦＣ）リンクを確立するステップと、
前記第１のＮＦＣリンクを確立したことに応じて、前記外部のＮＦＣタグ（４６）から前記マルチメディア・コンテンツに関連するデータを受信するステップと、
前記無線通信デバイス（１０）と、マルチメディア・サーバ（６８，１１０）との間の第１の通信リンクを確立するステップと、
前記外部のＮＦＣタグ（４６）から受信された前記データに基づき、前記マルチメディア・コンテンツに関連付けられた情報をユーザが指定した遠隔のダウンロード先デバイスに第２の通信リンクを介してダウンロードするように前記マルチメディア・サーバ（６８，１１０）を制御するステップと
を含むことを特徴とする方法。
【請求項７】
前記ユーザへの表示のために、受信した前記データを解析するステップと、
受信した前記データに含まれるユニフォーム・リソース・ロケータ（ＵＲＬ）に基づき、前記マルチメディア・サーバ（６８，１１０）に接続することによって前記第１の通信リンクを確立するステップと
をさらに含むことを特徴とする請求項６に記載の方法。
【請求項８】
受信した前記データに含まれる前記マルチメディア・コンテンツのデジタル化されたサンプルに基づいて、前記ユーザに対して前記マルチメディア・コンテンツの一部を再生するステップをさらに含むことを特徴とする請求項６に記載の方法。
【請求項９】
前記ユーザが指定した遠隔のダウンロード先デバイスは、前記マルチメディア・サーバ（６８，１１０）に対して通信可能に接続されるホーム・エンタテイメント・システム（７０）を備えることを特徴とする請求項６に記載の方法。
【請求項１０】
前記マルチメディア・コンテンツに関連付けられた前記情報は、前記マルチメディア・コンテンツと該マルチメディア・コンテンツを再生するライセンス情報との少なくとも１つを含むことを特徴とする請求項６に記載の方法。
【手続補正２】
【補正対象書類名】明細書
【補正対象項目名】０００９
【補正方法】変更
【補正の内容】
【０００９】
一実施形態において、ユーザは、直接的にユーザのホーム・エンタテイメント・システムに情報を送信するためにマルチメディア・サーバを制御してもよい。このような場合において、ユーザの計算機デバイスは、インターネットを介してマルチメディア・サーバに通信可能に接続される。ユーザがウェブサイトからマルチメディア・コンテンツ又はマルチメディア・コンテンツの権利を購入する場合、ユーザは、例えば、ダウンロード先デバイスのような計算機デバイスのＩＰアドレスを特定してもよい。一旦ダウンロードすると、ユーザは再生するために他の記憶媒体と、オーディオデバイス若しくはビデオデバイスとの少なくとも１つに対して情報を配信させてもよい。さらに、本発明は、少なくとも１つの実施形態において、外部のＮＦＣタグと第１のＮＦＣリンクを確立したことに応じて、外部のＮＦＣタグからマルチメディア・コンテンツに関連するデータを受信するように構成された近距離通信（ＮＦＣ）インタフェースを含む無線通信デバイスを提供する。また、当該デバイスは、通信ネットワークを介してマルチメディア・サーバと通信を行なうように構成されたトランシーバと、受信したデータに基づき、マルチメディア・サーバと通信リンクを確立するように構成された制御部とを備える。制御部は、マルチメディア・コンテンツに関連付けられた情報をダウンロードするようにマルチメディア・サーバを制御する。一実施形態において、無線通信デバイスはまた、ディスプレイを備えてもよい。制御部は、受信したデータを解析し、解析したデータをユーザに表示するように構成される。解析したデータは、マルチメディア・コンテンツのサンプルを含んでもよい。そのような実施形態において、制御部は、サンプルをユーザに再生するように構成されてもよい。一実施形態において、制御部はマルチメディア・コンテンツと関連付けられた情報を、ユーザが指定した遠隔のダウンロード先デバイスにダウンロードするように、マルチメディア・サーバを制御する。ユーザが指定した遠隔のダウンロード先デバイスは、例えば、インターネットを介してマルチメディア・サーバに接続されたホーム・エンタテイメント・システムを備えてもよい。ユーザが指定した遠隔のダウンロード先デバイスはまた、無線通信デバイスを備えてもよい。これらの実施形態において、ＮＦＣインタフェースは、さらに、ホーム・エンタテイメント・システムと関連付けられた外部ＮＦＣリーダと、第２のＮＦＣリンクを確立するように構成されてもよい。その後、制御部は、マルチメディア・コンテンツに関連付けられた情報を、第２のＮＦＣリンクを介してホーム・エンタテイメント・システムにダウンロードすることができる。一実施形態において、マルチメディア・コンテンツに関連付けられた情報は、マルチメディア・コンテンツを含んでもよい。他の実施形態において、マルチメディア・コンテンツに関連付けられた情報は、マルチメディア・コンテンツを再生するライセンス情報を含んでもよい。一実施形態において、本発明は、無線通信デバイスを用いてマルチメディア・コンテンツを配信する方法を提供する。本方法は、無線通信デバイスのＮＦＣインタフェースと、マルチメディア・コンテンツに関連付けられた外部ＮＦＣリーダタグとの間の第１の近距離通信（ＮＦＣ）リンクを確立するステップと、第１のＮＦＣリンクを確立したことに応じて、外部のＮＦＣタグからマルチメディア・コンテンツに関連するデータを受信するステップと、無線通信デバイスとマルチメディア・サーバとの間の通信リンクを確立するステップと、外部のＮＦＣタグから受信されたデータに基づき、マルチメディア・コンテンツと関連付けられた情報をダウンロードするようにマルチメディア・サーバを制御するステップとを含む。一実施形態において、本方法は、さらに、受信したデータを解析するステップと、ユーザに解析したデータを表示するステップとを含む。さらに、通信リンクを確立するステップは、受信したデータに含まれるユニフォーム・リソース・ロケータ（ＵＲＬ）に基づき、ユーザにマルチメディア・コンテンツの一部を再生するステップを含んでもよい。いくつかの実施形態において、本方法は、さらに、受信したデータに含まれるマルチメディア・コンテンツのデジタル化されたサンプルに基づき、ユーザにマルチメディア・コンテンツの一部を再生するステップを含んでもよい。マルチメディア・コンテンツと関連付けられた情報をダウンロードするようにマルチメディア・サーバを制御するステップは、ユーザが指定した遠隔のダウンロード先デバイスに情報をダウンロードするようにマルチメディア・サーバを制御するステップを含んでもよい。一実施形態において、ユーザが指定した遠隔のダウンロード先デバイスは、マルチメディア・サーバに通信可能に接続されたホーム・エンタテイメント・システムを含む。他の実施形態において、ユーザが指定した遠隔のダウンロード先デバイスは、無線通信デバイスを含む。後者の実施形態において、本方法は、さらに、ホーム・エンタテイメント・システムに関連付けられた外部ＮＦＣリーダと第２のＮＦＣリンクを確立するステップを含んでもよい。その後、制御部は、第２のＮＦＣリンクを介して、マルチメディア・コンテンツに関連付けられた情報をホーム・エンタテイメント・システムにダウンロードすることができる。一実施形態において、マルチメディア・コンテンツに関連付けられた情報は、マルチメディア・コンテンツを含む。他の実施形態において、マルチメディア・コンテンツに関連付けられた情報は、マルチメディア・コンテンツを再生するライセンス情報を含む。一実施形態において、本発明はそれぞれがマルチメディア・コンテンツに関連付けられる１つ以上の画像を含む近距離通信（ＮＦＣ）可能なメディア・ディスプレイを備えるマルチメディア配信システムを提供する。システムは、さらに、無線通信デバイスを備える。無線通信デバイスは、ＮＦＣ可能なメディア・ディスプレイとＮＦＣリンクを確立するように構成されたＮＦＣインタフェースを備える。ＮＦＣインタフェースはまた、選択した画像に関連付けられたマルチメディア・コンテンツに関するデータを受信するように構成されてもよい。一実施形態において、無線通信デバイスにおける制御部は、受信データに基づき、通信ネットワークを介してマルチメディア・サーバと通信を行なうように構成され、マルチメディア・サーバからマルチメディア・コンテンツに関連付けられた情報をダウンロードするように構成される。一実施形態において、各画像は、当該画像に関連付けられたマルチメディア・コンテンツを表すデータを格納する外部のＮＦＣタグを備える。第１のＮＦＣリンクは、外部のＮＦＣタグに物理的に近接した位置に配置されるＮＦＣインタフェースに応じて確立されてもよい。一実施形態において、制御部は、マルチメディア・コンテンツに関連付けられた情報を、ユーザが指定した遠隔のダウンロード先デバイスにダウンロードするように、マルチメディア・サーバを制御する。ユーザが指定した遠隔のダウンロード先デバイスは、例えば、マルチメディア・サーバに通信可能に接続されたホーム・エンタテイメント・システムであってもよい。他の実施形態において、ユーザが指定した遠隔のダウンロード先デバイスは、無線通信デバイスを含んでもよい。他の実施形態において、ＮＦＣインタフェースは、ＮＦＣインタフェースは、さらに、ホーム・エンタテイメント・システムに通信可能に接続された外部ＮＦＣリーダと第２ＮＦＣリンクを確立するように構成されてもよい。これらの実施形態において、ＮＦＣインタフェースは、さらに、第２のＮＦＣリンクを介してマルチメディア・コンテンツに関連付けられた情報をＮＦＣリーダに転送するように構成されてもよい。もちろん、当業者には、本発明が上述の記載又は例に制限されないことが理解され、以下の詳細な説明を参照し、添付の図面を見ることによって、追加の特徴及び利益を認識するであろう。
【国際調査報告】
2010512060.tif 000009
2010512060.tif 000010
2010512060.tif 000011